(57)【要約】  本発明は周期的に動く物体を画像化するためのイメージングシステムに関する。割当ユニット（１８）が提供される位相信号に基づきＡラインのような超音波信号を運動位相に割り当て、超音波イメージ生成ユニット（１９）が夫々の運動位相に割り当てられる超音波信号に基づき異なる運動位相のために心電図同期Ｍモードイメージのような幾つかの超音波イメージを生成する。超音波イメージは物体（２４）の周期的な動きを示すためにディスプレイユニット（２１）上に時間的に連続的に表示される。結果として得られる物体の動画のようなイメージは、医者のような使用者が、特にアブレーション手続きの間に、組織壁の厚さのような物体の特性をより確実に決定するのを可能にする。従って、イメージングシステムは心臓アブレーション手続きをモニタリングするのに特に有用である。
2015510813.tif 000002
【特許請求の範囲】
【請求項１】
周期的に動く物体を画像化するためのイメージングシステムであって、
−  異なる時に亘って前記物体の超音波信号を提供するための超音波信号提供ユニットと、
−  前記異なる時での前記物体の周期的な動きの運動位相を示す位相信号を提供するための位相信号提供ユニットと、
−  前記提供される位相信号に基づき前記超音波信号を前記運動位相に割り当てるための割当ユニットと、
−  前記異なる運動位相のために幾つかの超音波イメージを生成するための超音波イメージ生成ユニットと、
−  ディスプレイユニットを制御するためのディスプレイ制御ユニットとを含み、
運動位相のための超音波イメージは、前記夫々の運動位相に割り当てられる前記超音波信号に基づき生成され、
前記ディスプレイ制御ユニットは、前記生成される超音波イメージが、前記物体の前記周期的な動きを示すために前記ディスプレイユニット上に時間的に連続的に表示されるように構成される、
イメージングシステム。
【請求項２】
前記ディスプレイ制御ユニットは、前記提供される位相信号から前記生成される超音波イメージを表示する繰返し率を決定するように構成され、前記生成される超音波イメージを前記決定される繰返し率で時間的に連続的に表示するよう、前記ディスプレイユニットを制御するように構成される、請求項１に記載のイメージングシステム。
【請求項３】
前記ディスプレイ制御ユニットは、前記提供される位相信号から前記物体の前記周期的な動きの運動速度を決定し、該運動測度に依存して前記繰返し率を決定するように構成される、請求項２に記載のイメージングシステム。
【請求項４】
当該イメージングシステムは、超音波信号を連続的に提供し、該超音波信号を前記運動位相に割り当て、前記超音波イメージを生成し、該生成される超音波イメージを表示するように構成され、前記超音波イメージ生成ユニットは、初期的な超音波イメージの生成後、前記実際に提供される超音波信号に基づき前記超音波イメージを更新するように構成され、前記ディスプレイ制御ユニットは、前記物体の更新された周期的な動きを示すために前記更新された超音波イメージを時間的に連続的に表示するよう前記ディスプレイユニットを制御するように構成される、請求項１に記載のイメージングシステム。
【請求項５】
前記超音波信号提供ユニットは、Ａラインを超音波信号として連続的に提供するように構成され、前記超音波イメージ生成ユニットは、前記超音波イメージとしてＭモードイメージを生成するように構成され、初期的なＭモードイメージの生成後、前記Ｍモードイメージは、実際に提供されるＡラインを付加することによって更新され、前記ディスプレイ制御ユニットは、前記物体の更新された周期的な動きを示すために前記更新されたＭモードイメージを時間的に連続的に表示するよう前記ディスプレイユニットを制御するように構成される、請求項４に記載のイメージングシステム。
【請求項６】
前記割当ユニットは、前記運動位相が前記位相信号に依存して異なる継続時間を有するよう、運動期間を前記運動位相に細分するように構成される、請求項１に記載のイメージングシステム。
【請求項７】
請求項６に記載のイメージングシステムであって、
−  前記超音波信号提供ユニットは、前記超音波信号としてＡラインを提供するように構成され、
−  前記割当ユニットは、前記提供される位相信号に基づき、前記Ａラインを前記運動位相に割り当てるように構成され、
−  前記超音波イメージ生成ユニットは、前記夫々の割り当てられるＡラインに基づき、前記超音波イメージとして異なる運動位相のためのＭモードイメージを生成するように構成され、
少なくとも１つの運動位相のＡラインの幅は、異なる運動位相のために、前記夫々のＭモードイメージを生成するために用いられる前記Ａラインの幅が類似するように変更される、
イメージングシステム。
【請求項８】
前記割当ユニットは、前の運動期間のために提供される前記位相信号に基づき、前記物体の運動期間の前記超音波信号を前記運動位相に割り当てるように構成される、請求項１に記載のイメージングシステム。
【請求項９】
前記割当ユニットは、前記夫々の運動期間の完了後、前記夫々の運動期間の前記位相信号に基づき、前の運動期間のための前記位相信号に基づき前記運動位相に割り当てられた前記物体の夫々の運動期間の前記超音波信号を再割当てするように構成され、前記超音波イメージ生成ユニットは、前記再割当てされる超音波信号に基づき前記超音波イメージを生成するように構成され、前記ディスプレイ制御ユニットは、前記生成される超音波イメージを表示するよう前記ディスプレイユニットを制御するように構成される、請求項８に記載のイメージングシステム。
【請求項１０】
前記位相信号提供ユニットは、前記物体の異なる種類の周期的な動きの運動位相を示す幾つかの位相信号を提供するように構成され、前記割当ユニットは、前記提供される幾つかの位相信号に基づき、前記超音波信号を前記異なる種類の周期的な動きの運動位相の組み合わせに割り当てるように構成され、前記超音波イメージ生成ユニットは、前記異なる組み合わせのために幾つかの超音波イメージを生成するように構成され、ある組み合わせのための超音波イメージは、前記夫々の組み合わせに割り当てられる前記超音波イメージに基づき生成される、請求項１に記載のイメージングシステム。
【請求項１１】
前記画像化される物体は、生物のある領域であり、前記位相信号提供ユニットは、心臓運動を示す心臓運動信号及び呼吸運動を示す呼吸運動信号のうちの少なくとも１つを前記位相信号として提供するように構成される、請求項１に記載のイメージングシステム。
【請求項１２】
前記画像化される物体は、生物のある領域であり、前記位相信号提供ユニットは、心房運動を示す心房運動信号及び心室運動を示す心室運動信号のうちの少なくとも１つを前記位相信号として提供するように構成される、請求項１に記載のイメージングシステム。
【請求項１３】
前記位相信号提供ユニットは、前記超音波信号から前記位相信号を決定し、該決定される位相信号を提供するように構成される、請求項１に記載のイメージングシステム。
【請求項１４】
周期的に動く物体を画像化するためのイメージング方法であって、
−  超音波信号提供ユニットによって、異なる時に亘って前記物体の超音波信号を提供すること、
−  位相信号提供ユニットによって、前記異なる時に前記物体の周期的な動きの運動位相を示す位相信号を提供すること、
−  割当ユニットによって、前記提供される位相信号に基づき前記運動位相に前記超音波信号を割り当てること、
−  超音波イメージ生成ユニットによって、前記異なる運動位相のために幾つかの超音波イメージを生成すること、及び
−  ディスプレイ制御ユニットによって、ディスプレイユニットを制御することを含み、
運動位相のための超音波イメージは、夫々の運動位相に割り当てられる前記超音波信号に基づき生成され、
前記ディスプレイ制御ユニットは、前記生成される超音波イメージが、前記物体の前記周期的な動きを示すために前記ディスプレイユニット上に時間的に連続的に表示されるように構成される、
イメージング方法。
【請求項１５】
周期的に動く物体を画像化するためのコンピュータプログラムであって、
当該プログラムプログラムが前記イメージング装置を制御するコンピュータの上で作動させられるときに請求項１に記載のイメージング装置に請求項１４に記載のイメージング方法を実施させるためのプログラムコード手段を含む、
コンピュータプログラム。
【発明の詳細な説明】
【技術分野】
【０００１】
本発明は、周期的に動く物体を画像化するためのイメージングシステム、イメージング方法、及びイメージングコンピュータプログラムとに関する。
【背景技術】
【０００２】
ＵＳ２０１２／００４５４７Ａ１は、アブレーション手続き（焼灼手続き）を監視するためのモニタリング装置を開示している。医者が心臓組織のＭモードイメージに基づきアブレーション手続きを制御し得るよう、モニタリング装置はアブレーション手続き中に心臓組織のＭモードイメージを提供するための超音波イメージ提供ユニットを含む。
【発明の概要】
【発明が解決しようとする課題】
【０００３】
本発明の目的は、周期的な動きにも拘わらず、例えば、視覚化に基づく改良された品質でアブレーション手続きを制御し得るような、代替的な方法において物体の超音波データを視覚化する、周期的に動く物体を画像化するためのイメージングシステム、イメージング方法、及びイメージングコンピュータプログラムを提供するである。
【課題を解決するための手段】
【０００４】
本発明の第１の特徴において、周期的に動く物体を画像化するためのイメージングシステムが提示され、イメージングシステムは、
−  異なる時に亘って物体の超音波信号を提供するための超音波信号提供ユニットと、
−  異なる時での物体の周期的な動きの運動位相を示す位相信号を提供するための位相信号提供ユニットと、
−  提供される位相信号に基づき超音波信号を運動位相に割り当てるための割当ユニットと、
−  異なる運動位相のために幾つかの超音波イメージを生成するための超音波イメージ生成ユニットと、
−  ディスプレイユニットを制御するためのディスプレイ制御ユニットとを含み、
運動位相のための超音波イメージは、夫々の運動位相に割り当てられる超音波信号に基づき生成され、
ディスプレイ制御ユニットは、生成される超音波イメージが、物体の周期的な動きを示すためにディスプレイユニット上に時間的に連続的に表示されるように構成される。
【０００５】
超音波イメージ生成ユニットは夫々の運動位相に割り当てられる超音波信号に基づき運動位相のための超音波イメージを生成し、これらの超音波イメージはディスプレイユニット上に時間的に連続的に表示されるので、従来的な静止的な超音波イメージの代わりに、具体的には、従来的な静止的なＭモードイメージの代わりに、周期的に動く物体の動画のようなイメージを示すことができる。物体のこの動画のようなイメージは、医者のような使用者が、使用者が焼灼するかもしれない組織壁の厚さのような物体の特性を確実に決定するのを可能にする。ひいては、これは、使用者が超音波データに基づき物体に対するエネルギの適用、具体的には、組織壁のアブレーション（焼灼）を制御する品質を向上させることを可能にする。
【０００６】
超音波信号提供ユニットは、物体のＡラインを超音波信号として提供するように優先的に構成される。超音波信号提供ユニットは、Ａラインに対してエンベロープ(envelope)検出手続きを適用し、結果として得られるＡラインエンベロープを超音波信号として提供するよう更に優先的に構成される。具体的には、超音波イメージ生成ユニットは、異なる運動位相のために幾つかのＭモードイメージを生成するように構成され、運動位相のためのＭモードイメージが、夫々の運動位相に割り当てられるＡライン、具体的には、Ａラインエンベロープから生成される。異なる運動位相のために生成される幾つかのＭモードイメージを心電図同期(gated)Ｍモードイメージと考え得る。
【０００７】
優先的には、超音波信号は時間的に連続的に提供され、実際の超音波信号が提供されるならば、実際の超音波信号を対応する運動位相に割り当て、次に、実際の超音波信号が割り当てられる運動位相に対応する超音波イメージを更新するために、実際の超音波信号を用い得る。例えば、超音波信号がＡラインであり、生成される超音波イメージが心電図同期イメージであるならば、夫々の実際のＡラインを運動位相に割り当て、実際のＡラインが割り当てられる運動位相に対応する心電図同期Ｍモードイメージに実際のＡラインを付加し得る。
【０００８】
超音波信号提供ユニットは、具体的には、Ａラインを測定するために、異なる時に亘って、物体の超音波信号を測定するための超音波信号測定ユニットであり得る。よって、超音波信号提供ユニットは、超音波パルスを物体に及び物体内に送信するために並びに物体が超音波パルスを反射した後に一連の動的なエコーを受け取るために、１つ又は幾つかの超音波トランスデューサを含み得る。次に、受け取られる一連の動的なエコーに依存して、超音波信号、具体的には、夫々のＡラインが生成される。物体は、優先的には組織であり、特に心臓組織であり、超音波パルスは心臓組織内に送信され、生成される超音波信号が異なる深さにおける心臓組織の特性を示すよう、一連の動的なエコーが心臓組織から受け取られる。
【０００９】
超音波信号提供ユニットは、前もって測定した超音波信号を記憶させる記憶ユニットであり得るし、或いは、超音波信号提供ユニットは、超音波信号を受信するための並びに受信される超音波信号を提供するための受信ユニットであり得る。
【００１０】
位相信号提供ユニットは、超音波信号を測定する異なる時での物体の周期的な動きの運動位相を示す位相信号を測定するための位相信号測定ユニットであり得る。しかしながら、位相信号提供ユニットは、測定した位相信号を前もって記憶させる記憶ユニット、又は測定した位相信号を受信するための並びに受信した位相信号を提供するための受信ユニットであってもよい。
【００１１】
従って、イメージングシステムは、超音波信号及び／又は位相信号を測定するための測定コンポーネントを含み得るし、或いは、イメージングシステムは、測定コンポーネントを含まないコンピュータシステムであり得る。後者の場合、超音波信号提供ユニット及び位相信号提供ユニットは、それぞれ、コンピュータシステムの記憶ユニット又は受信ユニットである。
【００１２】
ディスプレイ制御ユニットは、提供される位相信号から生成される超音波イメージを表示することの繰返し率を決定し、生成される超音波イメージを決定される繰返し率で時間的に連続的に表示するようディスプレイユニットを制御するように優先的に構成される。繰返し率は、同じ運動位相の超音波イメージがある時間間隔内でどれぐらい頻繁に表示されるかを定める。ある時間間隔内に示されるイメージの総数として定め得る結果としてフレームレートは、超音波イメージを生成する運動位相の数で乗算した繰返し率によって定められる。
【００１３】
好適実施態様において、ディスプレイ制御ユニットは、提供される位相信号から物体の周期的な動きの運動速度を決定し、その運動速度に依存して繰返し率を決定するように構成される。例えば、繰返し率は、運動測度、具体的には、最終の運動速度と等しくあり得るし、或いは、周期的な動きの幾つかの運動期間に亘って決定される幾つかの運動速度の平均であり得る。よって、フレームレートは、Ｎ連続超音波イメージが、その運動期間がＮ運動位相に細分されるならば、その運動の１つのサイクル期間と等しいある時間期間Ｔ内に示されるようであり得る。繰返し率は運動速度に優先的に依存するので、それは運動速度の可能な変動に依存して異なり得る。例えば、運動速度が増大するならば、繰返し率も増大し、運動速度が減少するならば、繰返し率も減少する。運動速度は、例えば、心拍速度又は呼吸速度である。
【００１４】
イメージングシステムが、超音波信号を連続的に提供し、超音波信号を運動位相に割り当て、超音波イメージを生成し、生成される超音波イメージを表示するように構成され、超音波イメージ生成ユニットが、初期的な超音波イメージの生成後、実際に提供される超音波信号に基づき超音波画像を更新し、ディスプレイ制御ユニットが、物体の更新された周期的な動きを示すために、更新された超音波イメージを時間的に連続的に表示するようディスプレイユニットを制御するように構成されるのが好ましい。具体的には、超音波信号提供ユニットは、Ａラインを超音波信号として連続的に提供するように構成され、イメージ生成ユニットは、超音波イメージとして心電図同期Ｍモードイメージを生成するように構成され、初期的なＭモードイメージの生成後、心電図同期Ｍモードイメージは、実際に提供されるＡラインを付加することによって更新され、ディスプレイ制御ユニットは、物体の更新された周期的な動きを示すために更新された心電図同期Ｍモードイメージを時間的に連続的に表示するようディスプレイユニットを制御するように構成される。従って、物体の図示する動画のようなイメージは、超音波によって感知されるような物体の実際の特性を考慮し得る、即ち、図示の動画のようなイメージを実際に提供される超音波信号、具体的には、実際に提供されるＡラインに従って連続的に変更し得る。
【００１５】
運動位相が位相信号に依存して異なる継続時間(duration)を有するように、運動期間を運動位相に細分するよう割当ユニットを構成し得る。よって、図示の動画のようなイメージの品質が更に改良させられるように、運動位相の継続時間を物体の夫々の運動に適合させ得る。例えば、物体の動きがより小さい運動位相は、物体の動きがより大きい他の運動位相の継続時間よりも大きい継続時間を有し得る。具体的には、位相信号が心臓運動信号であるならば、心筋が静止しているときに心拡張期を含む運動位相の継続時間が心収縮期を含む運動位相の継続時間よりも大きいように、割当ユニットを構成し得る。
【００１６】
ある実施態様において、超音波信号提供ユニットは、超音波信号としてＡラインを提供するように構成され、割当ユニットは、提供される位相信号に基づきＡラインを運動位相に割り当てるように構成され、超音波イメージ生成ユニットは、夫々の割り当てられるＡラインに基づき超音波イメージとして異なる運動位相のためのＭモードイメージを生成するように構成され、少なくとも１つの運動位相のＡラインの幅は、異なる運動位相のために、夫々のＭモードイメージを生成するために用いられるＡラインの幅が類似であるように変更される。よって、他の運動位相に属する一群のＡライン大きさを整合させるために、特定の運動位相に属する一群のＡラインを再縮尺するよう、超音波イメージ生成ユニットを構成し得るので、全ての運動位相は心電図同期Ｍモードイメージ内に同じ量の付加データを生成することになる。そのような大きさ調整は、物体の周期的な動きを示すために心電図同期Ｍモードイメージがディスプレイの上に時間的に連続的に表示されるならば、異なる大きさの心電図同期Ｍモードイメージによって引き起こされる示される動きのちらつき(flickering)を防止し得るよう、異なる心電図同期Ｍモードイメージが同じ大きさを有することを保証する。
【００１７】
ある実施態様において、割当ユニットは、夫々の運動期間が終了した後に、超音波信号を夫々の運動期間の運動位相に割り当てるように構成される。夫々の運動期間の終了後、夫々の運動期間の継続時間は既知であるので、夫々の運動期間を運動位相に細分することによって、異なる運動位相を正確に決定し得る。相応して、運動位相への超音波信号の割当ては極めて正確であり、それにより、最終的に示される物体の動的イメージの品質の更なる改良をもたらす。
【００１８】
更なる実施態様において、割当ユニットは、前の運動期間のために提供される位相信号に基づき物体の運動期間の超音波信号を運動位相に割り当てるように構成される。よって、実際の運動期間の終了前に、超音波信号を運動位相に割り当て得る。超音波イメージ生成ユニットが、最後に提供された超音波信号を含む異なる運動位相のために、実際の超音波イメージを極めて短い待ち時間で生成し得るよう、これは極めて低い待ち時間で運動位相に超音波信号を割り当てることを可能にする。例えば、時間的に連続的なＡラインを超音波信号として提供することができ、運動位相への前の運動期間の細分に基づき実際の提供されるＡラインを運動位相に割り当てることができ、実際のＡラインを割り当てる運動位相に対応する心電図同期Ｍモードイメージに実際のＡラインを付加し得る。
【００１９】
夫々の運動期間の終了後、夫々の運動期間の位相信号に基づき、前の運動期間のための位相信号に基づき割り当てられた、物体の夫々の運動期間の超音波信号を再割当てするよう割当ユニットを構成することができ、超音波イメージ生成ユニットは、再割当てされる超音波信号に基づき超音波イメージを生成するように構成され、ディスプレイ制御ユニットは、生成される超音波イメージを表示するようディスプレイユニットを制御するように構成される。従って、夫々の運動期間の終了後、前の運動期間に基づく運動位相への超音波信号の初期的な近似的な割当てを矯正することができ、それにより、運動位相への超音波信号の正確な割当て、よって、物体の高品質の動的イメージをもたらし、実際に取得される最終の超音波信号を依然として極めて低い待ち時間で示し得る。
【００２０】
物体の異なる種類の周期的な動きの運動位相を示す幾つかの位相信号を提供するよう位相信号提供ユニットを構成することができ、提供される幾つかの位相信号に基づき異なる種類の周期的な動きの運動位相の組み合わせに超音波信号を割り当てるよう割当ユニットを構成することができ、超音波イメージ生成ユニットは、異なる組み合わせのために幾つかの超音波イメージを生成するように構成され、ある組み合わせのための超音波イメージが夫々の組み合わせに割り当てられる超音波信号に基づき生成される。物体の異なる種類の周期的な動きの運動位相の異なる組み合わせは時間的に連続的に起こり、ディスプレイ制御ユニットは、生成される超音波イメージが夫々の組み合わせによって定められる時間的シーケンスに従ってディスプレイユニット上に時間的に連続的に表示されるようディスプレイユニットを制御するように構成される。これは単一の種類の周期的な動きを考慮するのみならず幾つかの種類の周期的な動きも考慮する物体の動的イメージを示すことを可能にし、それは周期的に動く物体の更なる改良された視覚化をもたらし得る。
【００２１】
好適実施態様において、画像化される物体は、組織壁のような生物のある領域であり、位相信号提供ユニットは、心臓運動を示す心臓運動信号及び呼吸運動を示す呼吸運動信号のうちの少なくとも１つを位相信号として提供するように構成される。心房運動を示す心房運動信号及び心室運動を示す心室運動信号のうちの少なくとも１つを位相信号として提供するようにも位相信号提供ユニットを構成し得る。
【００２２】
心臓運動信号は、例えば、生物の胸に取り付けられる心電図表面リード線からの心電図信号であり得る。代替的に又は追加的に、超音波信号提供ユニットをカテーテル内に、具体的には、カテーテルの先端内に統合することができ、心臓信号を測定するための電極もカテーテル内に、具体的には、カテーテル先端内に統合し得る。位相信号提供ユニットは、指又は耳朶にクリップ留めし得るパルス酸素濃度計でもあってもよく、パルス酸素濃度計は心臓信号をもたらす。呼吸信号は、例えば、気管挿管装置によって生成される空気流信号であり得る。心電図電極を介して測定し得る生体インピーダンス信号からも呼吸信号を生成し得る。
【００２３】
超音波信号から位相信号を決定し且つ決定される位相信号を提供するようにも位相信号提供ユニットを構成し得る。具体的には、例えば、横方向における、即ち、Ａラインエンベロープによって形成されるＭモードイメージの時間軸の方向におけるフーリエ解析又は相関解析を用いることによって、トリガ信号とも考え得る位相信号をＡラインエンベロープから取り出し得る。よって、心電計のような更なる測定装置を必ずしも必要とせずに位相信号を決定することができ、それはイメージングシステムの取扱いを単純化し得る。
【００２４】
イメージングシステムは、感知プローブを優先的に含み、超音波信号提供ユニット及び物体にエネルギを提供するためのエネルギ適用ユニットを感知プローブ内に統合し得る。感知プローブは、優先的にはカテーテルであり、カテーテルには、超音波信号提供ユニットの少なくとも一部、例えば、１つ又は幾つかの超音波トランスデューサ、及びエネルギ適用ユニットの少なくとも一部、例えば、アブレーション電極が統合される。よって、エネルギを物体に適用するために、具体的には、心臓アブレーション手続きを遂行するために、並びに超音波を用いることによってエネルギの適用をモニタリングするために用い得る、単一の感知プローブを提供し得る。
【００２５】
本発明の更なる特徴において、周期的に動く物体を画像化するためのイメージング方法が提示され、イメージング方法は、
−  超音波信号提供ユニットによって、異なる時に亘って物体の超音波信号を提供すること、
−  位相信号提供ユニットによって、異なる時に前記物体の周期的な動きの運動位相を示す位相信号を提供すること、
−  割当ユニットによって、提供される位相信号に基づき運動位相に超音波信号を割り当てること、
−  超音波イメージ生成ユニットによって、異なる運動位相のために幾つかの超音波イメージを生成すること、及び
−  ディスプレイ制御ユニットによって、ディスプレイユニットを制御することを含み、
運動位相のための超音波イメージは、夫々の運動位相に割り当てられる超音波信号に基づき生成され、
ディスプレイ制御ユニットは、生成される超音波イメージが、物体の周期的な動きを示すためにディスプレイユニット上に時間的に連続的に表示されるように構成される。
【００２６】
本発明の更なる特徴において、周期的に動く物体を画像化するためのコンピュータプログラムが提示され、コンピュータプログラムは、当該プログラムプログラムがイメージング装置を制御するコンピュータの上で作動させられるときに請求項１に記載のイメージング装置に請求項１４に記載のイメージング方法を実施させるためのプログラムコード手段を含む。
【００２７】
請求項１のイメージングシステム、請求項１４のイメージング方法、及び請求項１５のコンピュータプログラムは、特に従属項に定められるような、類似の及び／又は同一の好適実施態様を有することが理解されなければならない。
【００２８】
本発明の好適実施態様は、夫々の独立項と従属の任意の組み合わせであり得ることも理解されなければならない。
【００２９】
本発明のこれらの及び他の特徴は、以下に記載する実施態様を参照して明確に解明されるであろう。
【図面の簡単な説明】
【００３０】
【図１】周期的に動く物体を画像化するためのイメージングシステムの例示的な実施態様を示す概略図である。
【図２】イメージングシステムのカテーテルの先端の実施態様を例示的に示す概略図である。
【図３】イメージングシステムによって提供されるＡライン及びＡラインエンベロープを例示的に示す概略図である。
【図４】運動位相へのＡラインの割当てを例示するための心電図非同期Ｍモードイメージ及び心臓位相信号を例示的に示す概略図である。
【図５】超音波イメージデータに基づく運動期間の決定を例示するために心電図非同期Ｍモードイメージを例示的に示す概略図である。
【図６】心電図同期Ｍモードイメージの生成を例示的に示すフローチャートである。
【図７】周期的な心臓の動き及び呼吸の動きによって引き起こされる超音波イメージングの異なる種類の外乱を示す概略図である。
【図８】周期的な心臓の動き及び呼吸の動きによって引き起こされる超音波イメージングの異なる種類の外乱を示す概略図である。
【図９】周期的な心臓の動き及び呼吸の動きによって引き起こされる超音波イメージングの異なる種類の外乱を示す概略図である。
【図１０】周期的な心臓の動き及び呼吸の動きによって引き起こされる超音波イメージングの異なる種類の外乱を示す概略図である。
【図１１】心電図同期イメージを生成するプロセスを説明図である。
【図１２】周期的に動く物体を画像化するためのイメージング方法の実施態様を例示的に示すフローチャートである。
【発明を実施するための形態】
【００３１】
図１は、周期的に動く物体を画像化するためのイメージングシステム１を概略的に且つ例示的に示している。この実施態様において、周期的に動く物体は、テーブル３の上に横たわる人２の心臓４の組織壁である。イメージングシステム１は、カテーテル先端６を備えるカテーテル５を含み、図２は、カテーテル先端６をより詳細に示している。
【００３２】
カテーテル先端６は、超音波トランスデューサ１３を含み、超音波トランスデューサ１３は、絶縁ワイヤのような電気接続１５を介して、超音波トランスデューサ１３を制御する超音波制御ユニット１６に接続される。超音波トランスデューサ１３及び超音波制御ユニット１６は、異なる時に亘って組織壁２４の超音波信号を提供する超音波信号提供ユニットを形成する。具体的には、超音波トランスデューサ１３及び超音波制御ユニット１６は、超音波パルスを組織壁２４内に送信し、超音波パルスが組織壁２４によって反射させられた後のエコー系列を受信し、受信するエコー系列に依存してＡライン(A-line)を生成するように構成される。従って、超音波信号供給ユニット１３，１６は、異なる時に亘って組織壁２４の超音波信号を提供するために、時間的に連続的にＡラインを獲得する。即ち、各Ａラインに、夫々の超音波パラスが超音波信号供給ユニット１３，１６によって送信され且つ受信される時間である時間を割り当て得る。
【００３３】
超音波信号供給ユニット１３，１６を超音波送信モードにおいて並びに超音波受信モードにおいて優先的に動作させ得る。超音波送信モードにおいて、超音波制御ユニット１６は電気パルスを超音波トランスデューサ１３に提供し、超音波トランスデューサ１３は圧電変換器であり、電気パルスを高周波数音波、即ち、超音波に変換し、超音波は組織壁２４を通じて伝搬し、組織壁２４が不均質な場所で反射させられ且つ／或いは散乱させられる。超音波受信モードにおいて、組織壁２４から反射させられ且つ／或いは散乱させられる高周波数音波は同じ圧電変換器を用いて捕捉され、圧電変換器はそれを電気信号に変換し、電気信号は超音波制御ユニット１６に送信される。他の実施態様では、カテーテル先端６も超音波トランスデューサを含み得る。全ての超音波トランスデューサは、超音波を組織壁内に送信するように構成され得るし、組織壁から反射させられ且つ／或いは散乱させられる超音波を受信するように構成され得る。或いは、超音波トランスデューサの少なくとも１つが超音波を組織へ機内に送信するように構成され、少なくとも１つの他の超音波トランスデューサが反射させられ且つ／或いは散乱させられる超音波を受信するように構成される。
【００３４】
Ａラインは、ノイズ及び外乱を除去するよう、超音波制御ユニット１６によって優先的に事前フィルタリングされ、それにより、送信される超音波パルス毎に事前フィルタリングされたＡラインを提供する。結果として得られるＡライン２５を図３に概略的且つ例示的に示す。図３では、任意的ユニットにおける振幅Ａを任意的ユニットにおける時間ｔに依存して示す。
【００３５】
超音波信号提供ユニット１３，１６、即ち、具体的には、超音波制御ユニット１６は、更に、Ａラインに対してエンベロープ(envelope)検出手続きを適用するように構成され、結果として得られるＡラインエンベロープを超音波信号として提供するように構成される。エンベロープ検出手続きはＤＣを含まないＡラインを非負振幅信号に変換し、非負の振幅信号は非負の強度又はコントラスト信号とも考えられ得る。そのようなＡラインエンベロープ２６を図３に概略的且つ例示的に示す。視覚化を向上させるためのコントラスト強化手続きのような更なる事後処理手続きをＡラインに適用するよう超音波制御ユニット１６を構成し得る。
【００３６】
イメージングシステム１は、異なる時間での組織壁２４の周期的な動きの運動位相(motion  phase)を示す位相信号(phase  signal)を提供するための位相信号提供ユニット１７，３６，３７を更に含む。この実施態様において、位相信号提供ユニットは、人の胸に取り付けられる電極３６を介して並びに絶縁電気ワイヤのような電気接続３７を介して心電図信号を測定する心電図測定ユニット１７を含み、測定される心電図信号は位相信号として提供される。
【００３７】
イメージングシステム１は、提供される位相信号に基づき超音波信号を運動位相に割り当てるための割当ユニット１８を更に含む。具体的には、決定される運動期間ＴをＮ運動位相に細分することができ、夫々の運動位相を各Ａラインエンベロープに割り当て得る。拍期間（ビート期間）、即ち、例えば、ここに参照として援用する、V.  Afonso  et  al.による”ECG  beat  detection  using  filter  banks”  IEEE  Transactions  on  Biomedical  Engineering,  Volume  46,  number  2,  pages1  92-202  (1999)という論文に記載されるような、運動期間Ｔを決定するよう、割当ユニット１８を構成し得る。具体的には、心電図信号の２つの続いて起こるＲピークの間の期間によって或いは心拍周期中に一回起こる任意の他の２つの続いて起こるピークによって、心拍周期、即ち、運動期間Ｔを定め得る。図４に概略的に及び例示的に示すように、決定される心拍周期、即ち、運動期間ＴをＮ運動位相に細分し得る。
【００３８】
図４において、上方部分は、Ｍモードイメージ４２を形成するＡラインエンベロープを時間的に連続的に示し、下方部分は、この実施例では心電図信号４０である、提供される位相信号を示している。心電図信号４０のＲピークは、十字記号４１によって示されている。１つの運動期間Ｔのために、Ｎ位相への細分が示されている。例えば参照番号４３によって図５中に示される領域内の、全てのＡラインエンベロープは、同じ運動位相、即ち、この実施態様では、第１の運動位相に割り当てられている。
【００３９】
この実施態様において、位相信号提供ユニットは、人の胸に取り付けられる電極３６を介して並びに電気接続３７を介して位相信号としての心電図信号を測定するための心電図測定ユニット１７を含むが、他の実施態様では、位相信号を他の方法においても提供し得る。例えば、カテーテル先端６の内側の電極から心臓トリガ信号を引き出すよう或いは人の指又は耳朶にクリップ嵌めし得る従来的なパルスオキシメータ検出器から心臓トリガ信号を引き出すよう位相信号提供ユニットを構成し得る。その上、代替的に或いは追加的に、呼吸トリガ信号を提供するよう位相信号供給ユニットを構成することができ、気管挿管装置によって生成される空気流からこの呼吸トリガ信号を引き出すことができる。心電図記録電極を介して測定される生体インピーダンス信号からも呼吸トリガ信号を抽出し得る。その上、他の生理学的モニタリング装置から、具体的には、遠隔の生理学的モニタリング装置から取られる、心臓トリガ信号及び／又は呼吸トリガ信号を提供するようにも、位相信号供給ユニットを構成し得る。獲得されるＡラインから位相信号を決定し且つ決定される位相信号を提供するようにも、位相信号供給ユニットを構成し得る。
【００４０】
獲得されるＡラインから位相信号を決定するために、Ｍモードイメージを形成するよう生成される一連のＡラインエンベロープを構成することができ、後続のＭモードイメージコラムは後続のＡラインエンベロープを含む。横方向において、即ち、位相信号を決定するためにＡラインエンベロープによって形成されるＭモードイメージの時間軸の方向において、フーリエ分析又は相関分析を適用するよう、位相信号提供ユニットを構成し得る。
【００４１】
図５は、そのようなＭモードイメージ３４を概略的且つ例示的に示しており、横方向は、ｔによって示される時間の方向である。信号相関技法を用いることによって運動期間Ｔを見出すよう位相信号提供ユニットを構成し得る。Ａラインサンプリング速度、即ち、１秒当たりのＡラインの量に依存して、図５に示す一組の連続的なＡラインエンベロープが、図５に長方形３１，３２，３３によって示す他の時での幾つかの他の組の連続的なＡラインと比較されている。長方形３１は、一組の連続的なＡラインエンベロープを定め、それは長方形３０によって示される一組のＡラインエンベロープと最も類似する。これらの２つの連続的なＡラインエンベロープの間の時間の距離は、運動期間Ｔを定め、よって、トリガ信号、即ち、位相信号を定める。その比較は、整合エラー基準(match  error  criterion)、例えば、絶対差の合計に基づく。検索領域、即ち、予期される運動期間Ｔの範囲は、心臓運動及び／又は呼吸運動がそれぞれ考慮されるならば、典型的な心拍速度及び／又は典型的な呼吸速度によって優先的に定められる。典型的な心拍速度は、心房細動に関して毎分４０〜１４０拍の範囲内又は毎分４０〜３００の範囲内にあり得る。決定される推定運動期間Ｔは、整合エラーを最小限化させる期間である。従って、ある時での推定運動期間Ｔは、Ａラインエンベロープの２つの表示される組の最小整合エラーに優先的に対応する。期間Ｔを有する夫々の新しい運動周期の開始にだけ非ゼロであるようトリガ信号を選択し得る。
【００４２】
位相信号提供ユニットが超音波信号からの位相信号を決定し、決定される位相信号を提供するように構成されるならば、電気生理学（ＥＰ）実験室内の異なるハードウェアシステム間の物理的な接続、例えば、心電図記録測定装置と心臓アブレーションモニタリング装置との間の物理的な接続を減少させ得る、具体的には、回避させ得る。
【００４３】
イメージングシステム１は、異なる運動位相のために幾つかの超音波イメージを生成するための超音波イメージ生成ユニット１９を更に含み、運動位相のための超音波イメージは、夫々の運動位相に割り当てられる超音波信号に基づき生成される。この実施態様において、超音波イメージ生成ユニット１９は、各運動位相のためにＭイメージを生成するように構成され、運動位相のためのＭモードイメージが、夫々の運動位相に割り当てられるＡラインエンベロープから生成される。幾つかのＭモードイメージの生成を全ての心電図非同期(non-gated)Ａラインエンベロープで構成される当初のＭモードイメージからのＮ心電図同期(gated)超音波イメージの抽出と考えることができ、その抽出は心拍と同期する位相信号によって引き起こされる。他の実施態様では、追加的に或いは代替的に、位相信号は呼吸運動とも同期し得る。即ち、ある実施態様では、２つの位相信号を提供することができ、第１の位相信号は心臓の動きを示し、第２の位相信号は呼吸運動を示す。各心電図同期超音波イメージでは、運動周期の１つの特定の運動位相に属する数群の後続のＡラインエンベロープが収集される。
【００４４】
図６を参照して、Ａラインエンベロープデータが生成される間の心電図同期Ｍモードイメージの生成を以下に例示的に記載する。
【００４５】
超音波トランスデューサ１３によって生成される生の超音波Ａラインデータが収集され（５２）、収集される生の超音波Ａラインデータが生成されるフィルタリング済みＡラインエンベロープデータのために処理される（５０）。受信するトリガ信号（５３）に基づき、Ａラインエンベロープが異なる運動位相に割り当てられる（５１）。次に、異なる運動位相に割り当てられるＡラインエンベロープは、夫々の運動位相の夫々のＭモードイメージに付加され（５４）、それはＮ更新されたＭモードイメージをもたらす（５５）。よって、各運動位相のために、対応するＡラインエンベロープが当初のＭモードイメージから抽出され、以前の運動期間の同じ運動位相の以前に抽出されたＡラインエンベロープの背後に配置される。このようにして、ＭモードイメージがＮ心電図同期イメージに細分され、各心電図同期イメージは、運動周期の１つの特定の運動位相に対応する。
【００４６】
例えば、心臓速度の変動の故に、運動期間の間の継続時間中に異なり得る、フレーム内の、即ち、運動位相内の運動期間の正確な分割を、夫々の運動期間の終了後にのみ遂行し得るので、心電図同期超音波イメージの生成及び表示を比較的大きな待ち時間で遂行し得る。従って、データが到着する間に心電図同期イメージの生成を開始し得るよう、割当ユニット１８は、以前の運動期間の継続時間に基づき運動期間を運動位相に分割するように優先的に構成され、割当ユニット１８は、実際の運動期間の終了後の後続の運動期間の間の継続時間における潜在的な差の故の潜在的な誤りを補償／矯正し得る。次に、超音波イメージ生成ユニット１９は、運動位相へのＡラインの矯正された割当てに基づき、具体的には、矯正された割当てに基づき再び心電図同期超音波イメージを生成することによって、心電図同期超音波イメージを矯正するように優先的に構成される。以前の運動期間の継続時間に基づくＡラインの、具体的には、Ａラインエンベロープの予備的な割当ては、後続の矯正の故に短い持続期間の小さいアーチファクトを概ねもたらすに過ぎない。１つの運動期間に属する心電図同期イメージは順次的に並びに周期的な方法において表示されるので、僅かに不正確な運動期間を備える創成されたばかりの心電図同期イメージを、正しい運動期間を備える次の運動位相において再計算し得る。これは極めて低い待ち時間での心電図同期超音波イメージの生成及び表示を可能にする。
【００４７】
各心電図同期Ｍモードイメージは、後続のＭモードイメージコラムを含み、Ｍモードイメージコラムは、現時点の時間の瞬間まで後続のＡラインエンベロープを含むのが好ましい。時間が進行すると、夫々の心電図同期Ｍモードイメージは右に伸び、１つのブラックイメージコラムを、夫々の心電図同期Ｍモードイメージの運動位相に割り当てられた新たに獲得されるＡラインエンベロープと一度に置換する。ディスプレイの端に達した後、新しいＡラインエンベロープが、夫々の心電図同期Ｍモードイメージの履歴から最も古く表示されたＡラインエンベロープを置換する第１のディスプレイコラムの上に描かられる等する。ディスプレイの端に達するまでＡラインエンベロープを夫々の心電図同期Ｍモードイメージに付加し、夫々の心電図同期Ｍモードイメージの次のＡラインエンベロープが第１のディスプレイコラム上に描かれるこの手続きは、物体の周期的な動きを示すためにディスプレイユニット上に時間的に連続的に表示される心電図同期Ｍモードイメージの各々のために遂行される。
【００４８】
図２を再び参照すると、カテーテル先端６は、エネルギ適用ユニット１２を更に含み、この実施例において、エネルギ適用ユニット１２は、エネルギを組織壁２４に適用するためのＲＦアブレーション電極である。従って、カテーテル５は、超音波トランスデューサ１３及びＲＦアブレーション電極１２が統合された感知プローブを形成する。ＲＦアブレーション電極１２は、絶縁ワイヤのような電気接続部１４を介してＲＦ源２２に接続される。
【００４９】
イメージングシステム１は、モニタのようなディスプレイユニット２１を制御するためのディスプレイ制御ユニット２０を更に含む。ディスプレイ制御ユニット２１は、組織壁２４の周期的な動きを示すために生成される超音波イメージがディスプレイユニット２０上に時間的に連続的に表示されるように構成される。結果として示される組織壁２４の並びに同様にカテーテル先端６の動画のようなイメージは、使用者、特に、医者が、イメージングシステム１によって提供される動的なイメージの代わりに静的な心電図非同期Ｍモードイメージが用いられるならば正確に観察するのが困難である、組織壁の厚さ、貫壁性のレベル、もし存在するならば、ガス形成のレベル等のような、重要な特徴を監視するのを可能にする。従来的な静的な心電図非同期Ｍモードイメージに基づくこれらの特徴の不正確な観察は、図７乃至１０を参照して以下に例示的に記載する超音波イメージング外乱に起因する。
【００５０】
図７は、カテーテル５の先端６を２つの異なる位置において示しており、それらの位置は、カテーテル先端６が組織壁２４の外周面と囲む２つの異なる角度α１、α２に対応する。組織壁２４の周期的な運動の故に、カテーテル先端６は、組織壁２４の外周面に対して異なる位置７０，７１の間で周期的に変化する。図７から明らかなように、２つの位置７０，７１に対応する組織壁２４の２つの厚さｄ１、ｄ２は等しくない。相応して、破線７２によって図７に示す損傷形成が、カテーテル先端６の夫々の位置７０，７１に依存して「より深い」か或いは「余り深くない」ことも分かる。これらの効果は、既知の静的Ｍモードイメージ、即ち、異なる運動位相を考慮しない心電図非同期Ｍモードイメージでは、医者が極めて急速であり得る厚さ変動を解釈するのは困難であり、医者は厚さが実際にはｄ１であるのにｄ２であると判断し得るという事実をもたらす。よって、医者が既知の静的なＭモードイメージに基づきアブレーション手続きを遂行するならば、医者は侵襲的過ぎるアブレーション体制を選択し得る。その上、医者が既知の静的なＭモードイメージに基づくアブレーション手続きを監視するならば、医者は第１の貫壁点を見逃し、アブレーションが非効果的で長過ぎるようになり、それにより、隣接する組織を潜在的に損傷させ得る。
【００５１】
図８は、超音波トランスデューサ１３によってもたらされる超音波ビームに出入りし得る異なる組織構成素子７３を示している。既知の静的なＭモードイメージにおいて、組織構成素子７３のこの出入り移動は、Ｍモードイメージを擾乱し、従って、損傷形成の可視性を減少させる。
【００５２】
図９には、周期的な嚢、肺組織、又は脂肪層のような、第２の組織層７４が、組織層２４の背後に示されている。既知の静的なＭモードイメージにおいて、第２の組織層７４及び組織壁２４は分離可能でない。何故ならば、組織壁２４及び第２の組織層７４の運動は、既知の心電図非同期Ｍモードイメージ内でこれらの２つの素子を混ぜるからである。例えば、図９に示す実施例において、距離ｄ３は距離ｄ４と等しく、Ｍモードイメージ中に暗領域として示されるｄ４に沿う組織間隙は観察し難い。何故ならば、時間的に少し後に、カテーテル先端６がｄ３に沿って位置付けられるときに、組織間隙は存在せず、Ｍモードイメージ内の対応する領域は明るく現れるからである。損傷進展を見るために例えば６０秒の長い所要の時間期間をカバーする既知の静的なＭモードイメージにおいて、個々のＡラインは密接に描かれるので、ｄ４に沿う組織間隙を観察し得ない。よって、実際の組織層の厚さ、即ち、組織壁２４の厚さはｄ１であるが、医者はその厚さがｄ３と等しいと信じ得る。
【００５３】
図１０には、心臓鼓動及び呼吸によって引き起こされる運動を矢印７５，７６によって示し、組織を局所的に収縮させることによって引き起こされる運動を矢印７７，７８によって示している。既知の静的なＭモードイメージにおいて、心臓鼓動及び呼吸運動に起因するＭモードイメージ中のコントラスト変動は、局所的な筋肉収縮に起因するコントラスト変動と干渉し得る。この干渉の故に、静的なＭモードイメージ中に局所的な筋肉収縮を観察し得ないが、アブレーション前後のそれらの大きさの差は壊死のレベルの重要な表示、換言すれば、アブレーション手続きがどれぐらい巧く行ったかの重要な表示であり得る。
【００５４】
イメージングシステム１は、視覚化、特に心臓アブレーションモニタリングのための視覚化をもたらし、それは既知の静的な、即ち、周期的に動く物体の心電図非同期Ｍモードイメージに関連する上述の問題を解決し、その場合、「周期的」という用語は、パターンが繰り返し現れ、パターン反復頻度は必ずしも一定である必要がないことを優先的に意味する。視覚化は、動的なＭモード履歴を静的な心電図非同期イメージの代わりに一連の心臓同期イメージとして優先的に示す。一連の心電図同期イメージは、図７に従った厚さ変動及び損傷深さ、図８に従ったシーケンスにおける異なる時での異なる構造、図９に従った互いに移動し合う異なる組織構造、及び図１０に従った心臓組織の局所的な収縮性を現し得る。具体的には、反復するサイクルとしてＮイメージを示すことによって、Ｎイメージが図６に従って時間内に蓄積される間、使用者、具体的には、ＥＰ医者は、静的な心電図非同期の従来的なＭイメージに比べて損傷形成のより一層はっきりした眺め(view)を有する。
【００５５】
以下、図１１を参照して、動的なイメージの生成を例示的に示す。
【００５６】
肺運動期間でもあり得るが、この実施態様では心臓運動期間である、Ｔ１秒の継続時間を備える第１の運動期間の後、超音波信号提供ユニット１３，１６は、その期間に属するＡラインエンベロープ６０を提供する。継続時間Ｔ１を備える運動期間はＮ運動位相に細分され、各運動位相はＴ１／Ｎ秒の継続時間を有する。次に、割当ユニット１８は、図１１に素子６１によって表示されるように、提供されたＡラインエンベロープを異なる移動する位相に割り当てる。超音波イメージ生成ユニット１９は、夫々の運動位相に割り当てられた提供されたＡラインエンベロープを用いることによって、異なるＮ運動位相のためにＮ初期Ｍモードイメージ６２を生成する。このようにして、第１の運動期間に属する提供されたＡラインエンベロープはＮ心電図同期イメージに亘って分配され、後続のＡライン、即ち、この実施態様では、Ｔ１／Ｎ秒の時間期間に亘る後続のＡラインエンベロープが、グループ化される。ディスプレイ制御ユニット２０は、ディスプレイユニット２１を制御するように構成される。これらのＮ初期心電図同期イメージが特定のビデオフレームレートを備える連続として示されている。次に、継続時間Ｔ２秒の第２の運動期間の後に、第２の運動期間に属する更なるＡラインエンベロープ６３が提供され、図１１に示される素子６４によって表示されるように、Ｎ運動位相に割り当てられ、割り当てられたＡラインエンベロープは、更新されたＭモードイメージ６５を生成するために、超音波イメージ生成ユニット１９によって夫々の初期Ｍモードイメージに付加される。よって、各心電図同期イメージにおいて、前の繰返しからのＡラインデータが新しいＡラインデータと付加される。ディスプレイ制御ユニット２０は、更新されたＮ心電図同期イメージを特定のビデオフレームレートを備える連続として示すようディスプレイユニット２１を制御する。この時点で、第１の運動期間からのＮ心電図同期イメージがディスプレイユニット２１の上に二度示される。このプロセスは各々の新しい運動周期のために反復される。
【００５７】
所望のイメージフレームレート及び／又は夫々の心電図同期Ｍモードイメージの所望の方位分解能に依存して運動位相の数Ｎを選択することができ、より大きな値のＮのために、心電図同期イメージフレームレートは比例的により高く、心電図同期イメージ方位分解能は比例的により少なく、より小さな値のＮのために、心電図同期イメージフレームレートは比例的により小さく、心電図同期イメージ方位分解能は比例的により高い。イメージングシステム１は、所望の心電図同期イメージフレームレート又は所望の心電図同期イメージ方位分解能を直接的に又は間接的に設定することによって、使用者が所望の数Ｎの運動位相を設定するのを可能にするために、ユーザインターフェースを含み得る。
【００５８】
イメージングシステム１は、超音波信号を連続的に提供し、超音波信号を運動位相に割り当て、超音波イメージを生成し、生成される超音波イメージを表示するように優先的に構成され、超音波イメージ生成ユニット１９は、初期的な超音波イメージが生成された後に、実際に提供される超音波信号に基づき超音波イメージを更新するように構成され、ディスプレイ制御ユニット２０は、物体２４の更新された周期的な動きを示すために、更新された超音波イメージを時間的に連続的に表示するようディスプレイユニット２１を制御するように構成される。具体的には、超音波信号提供ユニット１３，１６は、Ａライン、具体的には、Ａラインエンベロープを超音波信号として連続的に提供するように構成され、イメージ生成ユニット１９は、Ｍモードイメージを超音波イメージとして生成するように構成され、初期Ｍモードが生成された後に、Ｍモードイメージは実際に提供されるＡラインを付加することによって更新され、ディスプレイ制御ユニット２０は、物体の更新された周期的な動きを示すために、ディスプレイユニット２１が更新されたＭモードイメージを時間的に連続的に表示するように構成される。
【００５９】
ディスプレイ制御ユニット２０は、提供された位相信号から生成された超音波イメージを表示することの繰返し率を決定するように構成され、生成された超音波イメージを決定される繰返し率で時間的に連続的に表示するようディスプレイユニット２１を制御するように構成される。繰返し率は同じ運動位相の超音波イメージがある時間間隔内にどれぐらい頻繁に表示されるかを優先的に定める。ある時間間隔内に示されるイメージの総数として定め得る、結果として得られるフレームレートは、超音波イメージが生成される運動位相の数Ｎによって乗算される繰返し率によって定められる。この実施態様において、ディスプレイ制御ユニット２０は、提供される位相信号から組織壁２４の周期的な動きの運動速度を決定し、運動速度に依存して繰返し率を決定するように構成される。例えば、繰返し率は、運動速度、具体的には、最後の運動期間によって定められるような最後の運動速度と等しくあり得るし、或いは、繰返し率は、周期的な動きの幾つかの運動期間によって定められる幾つかの運動速度の平均であり得る。よって、ビデオフレームレートは、運動期間がＮ運動位相に細分されるならば、Ｎ連続超音波イメージが、運動の１つのサイクル期間と等しいある時間期間Ｔ内に示されるようなビデオフレームレートであり得る。繰返し率は、この実施態様では心拍速度である、運動速度に優先的に依存するので、それは運動速度の変化に依存して異なり得る。例えば、心拍速度が増大するならば、繰返し率も増大し得るし、心拍速度が減少するならば、繰返し率も減少し得る。
【００６０】
よって、イメージングシステム１は、Ｎ連続心電図同期イメージが運動の１つのサイクル期間と等しい時間期間Ｔ内に示されるように選択されるよう提案される特定のビデオフレームレートで、周期的に動的な方法において信号履歴を示すように優先的に構成され、その場合には、最後に測定されるサイクル期間が優先的に用いられる。
【００６１】
図１１を参照して上述した実施態様において、割当ユニット１８は運動期間を同じ継続時間を有する運動位相に細分するが、運動位相が位相信号に依存して異なる継続時間を有するよう運動期間を運動位相に細分するようにも、割当ユニット１８を構成し得る。換言すれば、Ｎ心電図同期Ｍモードイメージは、異なる方位分解能を有し得る。具体的には、この実施態様において、心拍サイクルの特定の運動位相はより短く持続し、それは同じ心拍サイクルの他の運動位相よりも少ないＡラインをもたらす。例えば、心筋が静止している心拡張期を含む運動位相の継続時間が、心収縮期を含む運動位相の継続時間よりも大きいように、割当ユニット１８を構成し得る。
【００６２】
ある実施態様において、超音波信号提供ユニット１３，１６は、Ａラインを超音波信号として提供するように構成され、割当ユニット１８は、提供される位相信号に基づきＡラインを運動位相に割り当てるように構成され、イメージ生成ユニット１９は、夫々の割り当てられるＡラインに基づき異なる運動位相のためのＭモードイメージを超音波イメージとして生成するように構成され、少なくとも１つの運動位相のＡラインの幅は、異なる運動位相のために、夫々のＭモードイメージを生成するために用いられるＡラインの幅が類似するように変更させられる。よって、全ての運動位相が心電図同期Ｍモードイメージ内に同じ量の付加データを生成するに至るよう、他の運動位相に属する一群のＡラインの大きさを整合させるために、特定の運動位相に属する一群のＡラインを再縮尺するよう、イメージ生成ユニット１９を構成し得る。物体の周期的な動きを示すために心電図同期Ｍモードイメージがディスプレイユニット２１上に時間的に連続的に表示されるならば、異なる大きさの心電図同期Ｍモードイメージによって引き起こされる示される動作のちらつき(flickering)を防止し得るよう、そのような大きさ調整は、異なる心電図同期Ｍモードイメージが同じ大きさを有することを保証する。Ａラインの幅を変更するために、双線形大きさ調整手続き(bi-linear  resizing  procedure)又は任意の他のイメージ縮尺方法(image  scaling  method)を用い得る。
【００６３】
人２の中のカテーテル５の先端６の位置を検出するために位置検出システム７を用い得る。この実施態様において、位置検出システム７は、Ｘ線蛍光透視システム、具体的には、Ｘ線Ｃアームシステムである。Ｘ線蛍光透視システムは、テーブル３の上の人２を横断するＸ線９を生成するためのＸ線源８を含み、人２を横断するＸ線９は、Ｘ線検出器１０によって検出される。Ｘ線蛍光透視システム７は、Ｘ線源８及びＸ線検出器１０を制御するための蛍光透視制御ユニット１１を更に含む。Ｘ線検出器１０は、人２のＸ線イメージを生成し、それはディスプレイユニット２１の上に表示される。Ｘ線イメージが人２の中のカテーテル５の先端６の位置を示すように、生成されるＸ線イメージ上でカテーテル５の先端６は人２の中で可視的である。他の実施態様では、人の中のカテーテル先端６の位置を検出するために、電磁センサ、超音波センサ等に基づく位置検出システムのような、他の位置検出システムを用い得る。
【００６４】
イメージングシステム１は、カテーテル５、具体的には、カテーテル先端６が人２の中の所望の場所に操縦されるのを可能にするためのナビゲーションユニット２３（操縦ユニット）を更に含む。使用者がカテーテルを完全に手動で或いは半自動的に操縦するのを可能にするよう、ナビゲーションユニット２３を構成し得る。カテーテル５は、ナビゲーションユニット２３によって制御し得る（図１には示されていない）内蔵案内手段を含む。カテーテル先端６を人２の中の所望の場所まで案内するために、例えば、操縦ワイヤの使用によって、カテーテル５を進行させ且つ操縦し得る。
【００６５】
以下、図１２に示すフローチャートを参照して、周期的に動く物体を画像化するためのイメージング方法の実施態様を例示的に記述する。
【００６６】
ステップ１０１において、超音波信号提供ユニットによって異なる時に亘って物体の超音波信号を提供する。具体的には、超音波信号提供ユニットは、Ａラインを取得し、ノイズを除去するためにＡラインを事前フィルタリングし、Ａラインエンベロープを超音波信号として生成するために事前フィルタリングしたＡラインに対してエンベロープ検出アルゴリズムを適用する。ステップ１０２において、位相信号提供ユニットによって、異なる時での物体の周期的な動きの運動位相を示す位相信号を提供する。例えば、Ａラインを提供する異なる時での物体の振動運動を示す心臓信号を位相信号として提供する。ステップ１０３において、割当ユニットによって、提供される位相信号に基づき、超音波信号を運動位相に割り当てる。優先的には、心臓信号に基づき、提供されるＡラインエンベロープを異なる心臓位相に割り当てる。ステップ１０４において、超音波信号生成ユニットによって、異なる運動位相のために幾つかの超音波信号を生成し、夫々の運動位相に割り当てる超音波信号に基づき、運動位相のための超音波イメージを生成する。この特定の運動位相のためのＭモードイメージを生成するために、例えば、特定の運動位相に割り当てるＡラインエンベロープを用いる。よって、新しいＡラインエンベロープを提供して特定の運動位相に割り当てるならば、このＡラインエンベロープを夫々の運動位相の夫々のＭモードイメージに付加し得る。ステップ１０５において、ディスプレイ制御ユニットによってディスプレイユニットを制御する。物体の周期的な動きを示すために生成される超音波イメージがディスプレイユニット上に時間的に連続的に表示されるように、その制御を遂行する。
【００６７】
超音波信号、具体的には、Ａライン、より具体的には、Ａラインエンベロープを連続的に生成し、夫々の運動位相に割り当て、異なる運動位相のために生成する連続的に更新されるＭモードイメージのためにＭモードイメージに付加するよう、並びに、物体の実際に更新される周期的な動きを示すために連続的に更新されるＭモードイメージをディスプレイユニットの上に時間的に連続的に表示するよう、ステップ１０１乃至１０５を連続的に遂行し得る。
【００６８】
イメージングシステム及びイメージング方法は、運動歪みの問題を解決するためにＭモードイメージを視覚化する代替的な方法を提供し、運動の周期的な性質を活用する。優先的には、Ｍモードイメージは心電図同期されて幾つかの心電図同期イメージをもたらし、各心電図同期イメージは運動周期の運動位相に対応し、これらの心電図同期イメージは、特に実時間において、運動シーケンスとして視覚化される。これは、医者のような使用者が、例えば、心臓組織−カテーテル相互作用を解釈するのを可能にし、局所的な壁厚、損傷形成、局所的な組織収縮性、及び組織−カテーテル相互作用／接触のような、関連する心壁パラメータを容易に知覚するのを可能にする。
【００６９】
イメージングシステムは、優先的に、人の体の内側を超音波画像化するためにカテーテルの内側に取り付けられる超音波トランスデューサを含む。イメージングシステムは心臓アブレーションを監視するように優先的に構成され、それは特定の不整脈を治癒するために優先的に遂行される。従って、ＥＰ実験室内の医者が心壁の特定の関連するパラメータに内側から殆ど実時間においてアクセスすることを可能にするために、イメージングシステムは、その先端にアブレーション電極と超音波トランスデューサとを備えるカテーテルを優先的に含む。表示される運動シーケンスの目視検査によって、医者は心壁厚さを測定して最良のアブレーション体制を決定し得る、即ち、医者は、観察される心壁厚さに基づき、アブレーション電力、流体冷却の流速、及びアブレーション継続時間を設定し得る。その上、医者は焼灼しながら損傷形成を監視し、損傷が貫壁性になるときに、即ち、治療が心壁の裏側に達したときに、アブレーションを停止し得る。心臓組織の内側に蒸気ポケットが形成される場合には、組織破裂、即ち、所謂「ポップ」(“pop”)を防止するために、医者はこれをディスプレイユニットの上で見てアブレーションを停止し得る。
【００７０】
一般的には、心壁の特定の特徴の視覚化のために、Ｎ心電図同期イメージのうちの１つを他のイメージとより良好に比較する。例えば、図７を参照して例示的に記載されるように、Ｎ心電図同期イメージのうちの１つが心臓の組織壁の最小の観察される壁厚と関連付けられる。よって、Ｎ心電図同期イメージのうちの１つは、一般的には、特定の特徴のために最適なものであり、同じシーケンスの他の心電図同期イメージは、他の特徴のために最適であり得る。イメージングシステムは、医者のような使用者が短い時間枠内に全ての特徴を見ることができるよう、Ｎ心電図同期イメージを繰返し現れる移動シーケンスとして視覚化する。よって、使用者は、組織壁の表示される動画のような周期的な動きに基づき、即ち、Ｎ心電図同期イメージの移動する視覚化に基づき、異なる特徴を同時に観察し得る。
【００７１】
上述の実施態様において、位相信号提供ユニットは、具体的には心臓トリガ信号である単一の位相信号を提供するように優先的に構成されるが、位相信号提供ユニットは、物体の異なる種類の周期的な動きの運動位相を示す幾つかの位相信号を提供するようにも構成され得る。この場合には、提供される幾つかの位相信号に基づき超音波信号を異なる種類の周期的な動きの運動位相の組み合わせに割り当てるよう割当ユニットを構成することができ、異なる組み合わせのために幾つかの超音波イメージを生成するよう超音波イメージ生成ユニットを構成することができ、ある組み合わせのための超音波イメージは夫々の組み合わせに割り当てられる超音波信号に基づき生成される。例えば、第１のトリガ信号に従って心電図同期させられる１つの特定の心電図同期イメージを、他のトリガ信号に基づき、二重心電図同期イメージに再び細分し得る。具体的には、そのようなイメージ心電図同期のカスケードでは、第１に、心拍運動アーチファクトを除去することができ、第２に、呼吸運動アーチファクトを除去することができ、或いはその逆でもよい。
【００７２】
上述の実施態様では、特定のトリガ信号を位相信号として記載したが、他の実施態様では、運動位相を決定するために、他の位相信号も提供し得る。例えば、心房運動を示す心房運動信号及び心室運動を示す心室運動信号の少なくとも１つを提供するよう位相信号提供ユニットを構成し得る。具体的には、心房が心室よりも高い頻度で収縮する心房細動の場合には、第１に、心房運動と同期する第１のトリガ信号を用いることによって心房運動アーチファクトを除去し、第２に、心室運動と同期する第２のトリガ信号を用いることによって心室運動アーチファクトを除去し得るし、或いはその逆でもあってもよい。その上、２つよりも多くの位相信号も提供し得る。例えば、心房鼓動トリガ信号、心室鼓動トリガ信号、及び呼吸運動トリガ信号のような、異なる適切なトリガ信号を用いた心電図同期の連続的な適用によって、三種類の運動アーチファクトを如何なる順序においても除去し得る。
【００７３】
図２を参照する上述の実施態様において、カテーテル先端は単一の超音波トランスデューサのみを含むが、他の実施態様において、カテーテル先端は２つ又はそれよりも多くの超音波トランスデューサも含み得る。優先的に、異なる超音波トランスデューサは、ディスプレイユニットの上に移動するシーケンスにおいて示し得る、異なる組の心電図同期Ｍモードイメージを生成するために用い得る、異なるＡラインを取得し得る、即ち、例えば、夫々の心電図同期Ｍモードイメージを時間的に連続的に表示することによって、各組の心電図同期Ｍモードイメージのために、周期的な動きの動画のようなイメージを示し得る。
【００７４】
Ａラインに関して上述した手続きをＡラインエンベロープを用いても遂行し得るし、逆も同様である。
【００７５】
上述の実施態様において、イメージングシステム及びイメージング方法は人の心臓の組織壁を画像化するように構成されるが、他の実施態様では、人の又は動物の他の周期的に動く組織構造のような或いは周期的に動く技術的な物体のような、他の周期的に動く物体を画像化するようにもイメージングシステム及びイメージング方法を構成し得る。
【００７６】
請求項の発明を実施する当業者は、図面、本開示、及び付属の請求項の研究から、開示の実施態様の変形を理解し且つ行い得る。
【００７７】
請求項において、「含む」という用語は、他の素子又はステップを排除せず、単数形は、複数形を排除しない。
【００７８】
単一のユニット又は装置が請求項において引用する幾つかの品目の機能を充足し得る。特定の手段が相互に異なる従属項において引用されているという単なる事実は、これらの手段の組み合わせを有利に用い得ないことを示さない。
【００７９】
１つ又は幾つかのユニット又は装置によって遂行される、運動位相を提供される超音波信号に割り当てるための割当て手続き、超音波信号に基づき超音波イメージを生成するための超音波イメージ生成手続き、生成される超音波イメージを時間的に連続的に表示するための表示手続き等のような手続きを、任意の他の数のユニット又は装置によって遂行し得る。例えば、単一のユニットによって或いは任意の他の数の異なるユニットによって、ステップ１０３乃至１０５を遂行し得る。イメージング方法に従ったイメージングシステムの手続き及び／又は制御を、コンピュータプログラムのプログラムコード手段として並びに／或いは専用ハードウェアとして実施し得る。
【００８０】
他のハードウェアと一体に又はその一部として供給される光記憶媒体又はソリッドステート媒体のような適切な媒体にコンピュータプログラムを記憶／流通させ得るが、インターネット或いは他の有線又は無線通信システムを介してのような他の形態においても流通させ得る。
【００８１】
請求項における如何なる参照符号も範囲を限定するものとして解釈されてはならない。
【００８２】
本発明は周期的に動く物体を画像化するためのイメージングシステムに関する。割当ユニットが提供される位相信号に基づきＡラインのような超音波信号を運動位相に割り当て、超音波イメージ生成ユニットが夫々の運動位相に割り当てられる超音波信号に基づき異なる運動位相のために心電図同期Ｍモードイメージのような幾つかの超音波イメージを生成する。超音波イメージは物体の周期的な動きを示すためにディスプレイユニット上に時間的に連続的に表示される。結果として得られる物体の動画のようなイメージは、医者のような使用者が、特にアブレーション手続きの間に、組織壁の厚さのような物体の特性をより確実に決定するのを可能にする。従って、イメージングシステムは心臓アブレーション手続きをモニタリングするのに特に有用である。
【図１】
2015510813.tif 000003
【図２】
2015510813.tif 000004
【図３】
2015510813.tif 000005
【図４】
2015510813.tif 000006
【図５】
2015510813.tif 000007
【図６】
2015510813.tif 000008
【図７】
2015510813.tif 000009
【図８】
2015510813.tif 000010
【図９】
2015510813.tif 000011
【図１０】
2015510813.tif 000012
【図１１】
2015510813.tif 000013
【図１２】
2015510813.tif 000014
【手続補正書】
【提出日】平成26年11月26日(2014.11.26)
【手続補正１】
【補正対象書類名】特許請求の範囲
【補正対象項目名】全文
【補正方法】変更
【補正の内容】
【特許請求の範囲】
【請求項１】
周期的に動く物体を画像化するためのイメージングシステムであって、
−  異なる時に亘って前記物体の超音波信号を提供するための超音波信号提供ユニットと、
−  前記異なる時での前記物体の周期的な動きの運動位相を示す位相信号を提供するための位相信号提供ユニットと、
−  前記提供される位相信号に基づき前記超音波信号を前記運動位相に割り当てるための割当ユニットと、
−  前記異なる運動位相のために幾つかの超音波イメージを生成するための超音波イメージ生成ユニットと、
−  ディスプレイユニットを制御するためのディスプレイ制御ユニットとを含み、
運動位相のための超音波イメージは、前記夫々の運動位相に割り当てられる前記超音波信号に基づき生成され、
前記ディスプレイ制御ユニットは、前記生成される超音波イメージが、前記物体の前記周期的な動きを示すために前記ディスプレイユニット上に時間的に連続的に表示されるように構成され、
前記超音波信号提供ユニットは、前記超音波信号としてＡラインを連続的に提供するように構成され、前記超音波イメージ生成ユニットは、前記超音波イメージとしてＭモードイメージを生成し、前記夫々の運動位相に割り当てられる実際に提供されるＡラインを前記夫々のＭモードイメージに付加することによって前記異なる運動位相のために生成される前記Ｍモードイメージを更新するように構成され、前記ディスプレイ制御ユニットは、前記物体の更新された周期的な動きを示すために前記更新されたＭモードイメージを時間的に連続的に表示するよう前記ディスプレイユニットを制御するように構成される、
イメージングシステム。
【請求項２】
前記ディスプレイ制御ユニットは、前記提供される位相信号から前記生成される超音波イメージを表示する繰返し率を決定するように構成され、前記生成される超音波イメージを前記決定される繰返し率で時間的に連続的に表示するよう、前記ディスプレイユニットを制御するように構成される、請求項１に記載のイメージングシステム。
【請求項３】
前記ディスプレイ制御ユニットは、前記提供される位相信号から前記物体の前記周期的な動きの運動速度を決定し、該運動測度に依存して前記繰返し率を決定するように構成される、請求項２に記載のイメージングシステム。
【請求項４】
前記割当ユニットは、前記運動位相が前記位相信号に依存して異なる継続時間を有するよう、運動期間を前記運動位相に細分するように構成される、請求項１に記載のイメージングシステム。
【請求項５】
請求項４に記載のイメージングシステムであって、
−  前記超音波信号提供ユニットは、前記超音波信号としてＡラインを提供するように構成され、
−  前記割当ユニットは、前記提供される位相信号に基づき、前記Ａラインを前記運動位相に割り当てるように構成され、
−  前記超音波イメージ生成ユニットは、前記夫々の割り当てられるＡラインに基づき、前記超音波イメージとして異なる運動位相のためのＭモードイメージを生成するように構成され、
少なくとも１つの運動位相のＡラインの幅は、異なる運動位相のために、前記夫々のＭモードイメージを生成するために用いられる前記Ａラインの幅が類似するように変更される、
イメージングシステム。
【請求項６】
前記割当ユニットは、前の運動期間のために提供される前記位相信号に基づき、前記物体の運動期間の前記超音波信号を前記運動位相に割り当てるように構成される、請求項１に記載のイメージングシステム。
【請求項７】
前記割当ユニットは、前記夫々の運動期間の完了後、前記夫々の運動期間の前記位相信号に基づき、前の運動期間のための前記位相信号に基づき前記運動位相に割り当てられた前記物体の夫々の運動期間の前記超音波信号を再割当てするように構成され、前記超音波イメージ生成ユニットは、前記再割当てされる超音波信号に基づき前記超音波イメージを生成するように構成され、前記ディスプレイ制御ユニットは、前記生成される超音波イメージを表示するよう前記ディスプレイユニットを制御するように構成される、請求項６に記載のイメージングシステム。
【請求項８】
前記位相信号提供ユニットは、前記物体の異なる種類の周期的な動きの運動位相を示す幾つかの位相信号を提供するように構成され、前記割当ユニットは、前記提供される幾つかの位相信号に基づき、前記超音波信号を前記異なる種類の周期的な動きの運動位相の組み合わせに割り当てるように構成され、前記超音波イメージ生成ユニットは、前記異なる組み合わせのために幾つかの超音波イメージを生成するように構成され、ある組み合わせのための超音波イメージは、前記夫々の組み合わせに割り当てられる前記超音波イメージに基づき生成される、請求項１に記載のイメージングシステム。
【請求項９】
前記画像化される物体は、生物のある領域であり、前記位相信号提供ユニットは、心臓運動を示す心臓運動信号及び呼吸運動を示す呼吸運動信号のうちの少なくとも１つを前記位相信号として提供するように構成される、請求項１に記載のイメージングシステム。
【請求項１０】
前記画像化される物体は、生物のある領域であり、前記位相信号提供ユニットは、心房運動を示す心房運動信号及び心室運動を示す心室運動信号のうちの少なくとも１つを前記位相信号として提供するように構成される、請求項１に記載のイメージングシステム。
【請求項１１】
前記位相信号提供ユニットは、前記超音波信号から前記位相信号を決定し、該決定される位相信号を提供するように構成される、請求項１に記載のイメージングシステム。
【請求項１２】
周期的に動く物体を画像化するためのイメージング方法であって、
−  超音波信号提供ユニットによって、異なる時に亘って前記物体の超音波信号を提供すること、
−  位相信号提供ユニットによって、前記異なる時に前記物体の周期的な動きの運動位相を示す位相信号を提供すること、
−  割当ユニットによって、前記提供される位相信号に基づき前記運動位相に前記超音波信号を割り当てること、
−  超音波イメージ生成ユニットによって、前記異なる運動位相のために幾つかの超音波イメージを生成すること、及び
−  ディスプレイ制御ユニットによって、ディスプレイユニットを制御することを含み、
運動位相のための超音波イメージは、夫々の運動位相に割り当てられる前記超音波信号に基づき生成され、
前記ディスプレイ制御ユニットは、前記生成される超音波イメージが、前記物体の前記周期的な動きを示すために前記ディスプレイユニット上に時間的に連続的に表示されるように構成され、
前記超音波信号提供ユニットは、前記超音波信号としてＡラインを連続的に提供するように構成され、前記超音波イメージ生成ユニットは、前記超音波イメージとしてＭモードイメージを生成し、前記夫々の運動位相に割り当てられる実際に提供されるＡラインを前記夫々のＭモードイメージに付加することによって前記異なる運動位相のために生成される前記Ｍモードイメージが更新され、前記ディスプレイ制御ユニットは、前記物体の更新された周期的な動きを示すために前記更新されたＭモードイメージを時間的に連続的に表示するよう前記ディスプレイユニットを制御するように構成される、
イメージング方法。
【請求項１３】
周期的に動く物体を画像化するためのコンピュータプログラムであって、
当該プログラムプログラムが前記イメージング装置を制御するコンピュータの上で作動させられるときに請求項１に記載のイメージング装置に請求項１２に記載のイメージング方法を実施させるためのプログラムコード手段を含む、
コンピュータプログラム。
【手続補正２】
【補正対象書類名】明細書
【補正対象項目名】０００４
【補正方法】変更
【補正の内容】
【０００４】
本発明の第１の特徴において、周期的に動く物体を画像化するためのイメージングシステムが提示され、イメージングシステムは、
−  異なる時に亘って物体の超音波信号を提供するための超音波信号提供ユニットと、
−  異なる時での物体の周期的な動きの運動位相を示す位相信号を提供するための位相信号提供ユニットと、
−  提供される位相信号に基づき超音波信号を運動位相に割り当てるための割当ユニットと、
−  異なる運動位相のために幾つかの超音波イメージを生成するための超音波イメージ生成ユニットと、
−  ディスプレイユニットを制御するためのディスプレイ制御ユニットとを含み、
運動位相のための超音波イメージは、夫々の運動位相に割り当てられる超音波信号に基づき生成され、
ディスプレイ制御ユニットは、生成される超音波イメージが、物体の周期的な動きを示すためにディスプレイユニット上に時間的に連続的に表示されるように構成され、
超音波信号提供ユニットは、超音波信号としてＡラインを連続的に提供するように構成され、超音波イメージ生成ユニットは、超音波イメージとしてＭモードイメージを生成し、夫々の運動位相に割り当てられる実際に提供されるＡラインを夫々のＭモードイメージに付加することによって異なる運動位相のために生成されるＭモードイメージを更新するように構成され、ディスプレイ制御ユニットは、物体の更新された周期的な動きを示すために更新されたＭモードイメージを時間的に連続的に表示するよう前記ディスプレイユニットを制御するように構成される。
【手続補正３】
【補正対象書類名】明細書
【補正対象項目名】０００６
【補正方法】変更
【補正の内容】
【０００６】
超音波信号提供ユニットは、物体のＡラインを超音波信号として提供するように構成される。超音波信号提供ユニットは、Ａラインに対してエンベロープ(envelope)検出手続きを適用し、結果として得られるＡラインエンベロープを超音波信号として提供するよう更に優先的に構成される。具体的には、超音波イメージ生成ユニットは、異なる運動位相のために幾つかのＭモードイメージを生成するように構成され、運動位相のためのＭモードイメージが、夫々の運動位相に割り当てられるＡライン、具体的には、Ａラインエンベロープから生成される。異なる運動位相のために生成される幾つかのＭモードイメージを心電図同期(gated)Ｍモードイメージと考え得る。
【手続補正４】
【補正対象書類名】明細書
【補正対象項目名】０００７
【補正方法】変更
【補正の内容】
【０００７】
超音波信号は時間的に連続的に提供され、実際の超音波信号が提供されるならば、実際の超音波信号を対応する運動位相に割り当て、次に、実際の超音波信号が割り当てられる運動位相に対応する超音波イメージを更新するために、実際の超音波信号を用い得る。超音波信号はＡラインであり、生成される超音波イメージが心電図同期イメージであるので、夫々の実際のＡラインを運動位相に割り当て、実際のＡラインが割り当てられる運動位相に対応する心電図同期Ｍモードイメージに実際のＡラインを付加し得る。
【手続補正５】
【補正対象書類名】明細書
【補正対象項目名】００２５
【補正方法】変更
【補正の内容】
【００２５】
本発明の更なる特徴において、周期的に動く物体を画像化するためのイメージング方法が提示され、イメージング方法は、
−  超音波信号提供ユニットによって、異なる時に亘って物体の超音波信号を提供すること、
−  位相信号提供ユニットによって、異なる時に前記物体の周期的な動きの運動位相を示す位相信号を提供すること、
−  割当ユニットによって、提供される位相信号に基づき運動位相に超音波信号を割り当てること、
−  超音波イメージ生成ユニットによって、異なる運動位相のために幾つかの超音波イメージを生成すること、及び
−  ディスプレイ制御ユニットによって、ディスプレイユニットを制御することを含み、
運動位相のための超音波イメージは、夫々の運動位相に割り当てられる超音波信号に基づき生成され、
ディスプレイ制御ユニットは、生成される超音波イメージが、物体の周期的な動きを示すためにディスプレイユニット上に時間的に連続的に表示されるように構成され、
超音波信号提供ユニットは、超音波信号としてＡラインを連続的に提供するように構成され、超音波イメージ生成ユニットは、超音波イメージとしてＭモードイメージを生成し、夫々の運動位相に割り当てられる実際に提供されるＡラインを夫々のＭモードイメージに付加することによって異なる運動位相のために生成されるＭモードイメージが更新され、ディスプレイ制御ユニットは、物体の更新された周期的な動きを示すために更新されたＭモードイメージを時間的に連続的に表示するようディスプレイユニットを制御するように構成される。
【手続補正６】
【補正対象書類名】明細書
【補正対象項目名】００２６
【補正方法】変更
【補正の内容】
【００２６】
本発明の更なる特徴において、周期的に動く物体を画像化するためのコンピュータプログラムが提示され、コンピュータプログラムは、当該プログラムプログラムがイメージング装置を制御するコンピュータの上で作動させられるときに請求項１に記載のイメージング装置に請求項１２に記載のイメージング方法を実施させるためのプログラムコード手段を含む。
【手続補正７】
【補正対象書類名】明細書
【補正対象項目名】００２７
【補正方法】変更
【補正の内容】
【００２７】
請求項１のイメージングシステム、請求項１２のイメージング方法、及び請求項１３のコンピュータプログラムは、特に従属項に定められるような、類似の及び／又は同一の好適実施態様を有することが理解されなければならない。
【国際調査報告】
2015510813.tif 000015
2015510813.tif 000016
2015510813.tif 000017